(57)【要約】      （修正有）【課題】サプライチェーンマネージメントの設計をより明確に行える組織体情報分析装置、組織体情報記録装置、プログラム並びに情報記録媒体を提供する。【解決手段】活動組織体オブジェクトが複数組み合わせられて表現される組織体を分析する組織体情報分析装置１であって、少なくとも入力情報、出力情報、補助入力情報、補助出力情報をプロパティとして備える活動組織体オブジェクトを、個別に記録する活動組織体オブジェクト記録ユニット１１１と、活動組織体オブジェクト記録ユニットに記録された特定のオブジェクトのプロパティを設定する活動組織体オブジェクト形態指定ユニット１１２と、活動組織体オブジェクト記録ユニットに記録されたオブジェクトに基づいて入力情報プロパティと出力情報プロパティとの関連にしたがって、複数の活動組織体オブジェクトの組み合わせに係るパフォーマンスを分析する組織活動体オブジェクト分析ユニット１２とを備える。【選択図】  図１
2004151920.tif 000002
【特許請求の範囲】
【請求項１】
活動組織体オブジェクトが複数組み合わせられた組織構造体を記録する組織体情報記録装置において、
少なくとも入力情報、出力情報、補助入力情報、補助出力情報をプロパティとして備える活動組織体オブジェクトを、個別に記録する活動組織体オブジェクト記録ユニットと、
少なくとも入力情報指定部と、出力情報指定部と、補助入力情報指定部と、補助出力情報指定部とを備え、前記活動組織体オブジェクト記録ユニットに記録された特定のオブジェクトのプロパティを設定する活動組織体オブジェクト形態指定ユニットと、を備えることを特徴とする組織体情報記録装置。
【請求項２】
前記入力情報、出力情報、補助入力情報、補助出力情報に係るプロパティについて、入力情報と補助入力情報または出力情報と補助出力情報を交換可能としたことを特徴とする請求項１記載の組織体情報記録装置。
【請求項３】
活動組織体オブジェクトが複数組み合わせられた組織構造体を記録する組織体情報記録装置において、
少なくとも入力情報および補助入力情報をプロパティとして備える活動組織体オブジェクトを、個別に記録する活動組織体オブジェクト記録ユニットと、
少なくとも入力情報指定部および補助入力情報指定部を備え、前記活動組織体オブジェクト記録ユニットに記録された特定のオブジェクトのプロパティを設定する活動組織体オブジェクト形態指定ユニットと、を備えることを特徴とする組織体情報記録装置。
【請求項４】
活動組織体オブジェクトが複数組み合わせられた組織構造体を記録する組織体情報記録装置において、
少なくとも出力情報および補助出力情報をプロパティとして備える活動組織体オブジェクトを、個別に記録する活動組織体オブジェクト記録ユニットと、
少なくとも出力情報指定部および補助出力情報指定部を備え、前記活動組織体オブジェクト記録ユニットに記録された特定のオブジェクトのプロパティを設定する活動組織体オブジェクト形態指定ユニットと、を備えることを特徴とする組織体情報記録装置。
【請求項５】
活動組織体オブジェクトが複数組み合わせられて表現される組織体を分析する組織体情報分析装置において、
少なくとも入力情報、出力情報、補助入力情報、補助出力情報をプロパティとして備える活動組織体オブジェクトを、個別に記録する活動組織体オブジェクト記録ユニットと、
少なくとも入力情報指定部と、出力情報指定部と、補助入力情報指定部と、補助出力情報指定部とを備え、前記活動組織体オブジェクト記録ユニットに記録された特定のオブジェクトのプロパティを設定する活動組織体オブジェクト形態指定ユニットと、
前記活動組織体オブジェクト記録ユニットに記録されたオブジェクトに基づいて入力情報プロパティと出力情報プロパティとの関連にしたがって、複数の活動組織体オブジェクトの組み合わせに係るパフォーマンスを分析する組織活動体オブジェクト分析ユニットと、を備えることを特徴とする組織体情報分析装置。
【請求項６】
活動組織体オブジェクトが複数組み合わせられて表現される組織体を分析する組織体情報分析装置において、
少なくとも入力情報および補助入力情報をプロパティとして備える活動組織体オブジェクトを、個別に記録する活動組織体オブジェクト記録ユニットと、
少なくとも入力情報指定部および補助入力情報指定部を備え、前記活動組織体オブジェクト記録ユニットに記録された特定のオブジェクトのプロパティを設定する活動組織体オブジェクト形態指定ユニットと、
前記活動組織体オブジェクト記録ユニットに記録されたオブジェクトに基づいて入力情報プロパティにしたがって、複数の活動組織体オブジェクトの組み合わせに係るパフォーマンスを分析する組織活動体オブジェクト分析ユニットと、を備えることを特徴とする組織体情報分析装置。
【請求項７】
活動組織体オブジェクトが複数組み合わせられて表現される組織体を分析する組織体情報分析装置において、
少なくとも出力情報および補助出力情報をプロパティとして備える活動組織体オブジェクトを、個別に記録する活動組織体オブジェクト記録ユニットと、
少なくとも出力情報指定部および補助出力情報指定部を備え、前記活動組織体オブジェクト記録ユニットに記録された特定のオブジェクトのプロパティを設定する活動組織体オブジェクト形態指定ユニットと、
前記活動組織体オブジェクト記録ユニットに記録されたオブジェクトに基づいて出力情報プロパティにしたがって、複数の活動組織体オブジェクトの組み合わせに係るパフォーマンスを分析する組織活動体オブジェクト分析ユニットと、を備えることを特徴とする組織体情報分析装置。
【請求項８】
前記活動組織体オブジェクトは、さらに活動内容を表す活動内容プロパティを備えるとともに、
前記組織活動体オブジェクト分析ユニットは、前記活動組織体オブジェクトのプロパティに基づいて得られる複数の組織活動体オブジェクトの関係について、その連接妥当性検査を行うことを特徴とする請求項５〜７の何れかに記載の組織体情報分析装置。
【請求項９】
コンピュータをして請求項１〜４の何れかに記載の組織体情報記録装置として機能させるプログラム。
【請求項１０】
コンピュータをして請求項５〜８の何れかに記載の組織体情報分析装置として機能させるプログラム。
【請求項１１】
請求項９または１０記載のプログラムを記録した情報記録媒体。
【発明の詳細な説明】
【０００１】
【発明の属する技術分野】
本発明は、企業などのように、活動する組織体が複数組み合わせられた構造体が、少なくとも一つの成果を出力するようになっている場合、その組織の効率分析や効率向上のための施策検討などを行う際に利用される組織体情報分析装置およびこの組織体情報分析装置を構成する上で前提となる組織体情報記録装置、プログラム並びに情報記録媒体に関する。
【０００２】
特に、各組織体について、入力と出力の項目を指定できるほか、補助入力と補助出力を別に指定できるようにしたことにより、サプライチェーンマネージメント（Ｓｕｐｐｌｙ  Ｃｈａｉｎ  Ｍａｎａｇｅｍｅｎｔ＝ＳＣＭ＝供給連鎖管理、以下単にＳＣＭともいう。）の設計をより明確に行えるようにした組織体情報分析装置、組織体情報記録装置、プログラムおよび情報記録媒体に関する。
【０００３】
【従来の技術】
企業などにおいては、細分化された組織の役割と責任とを明確化し、その組織の機能を再構築するさまざまな手法が利用されている。取引先との間の受発注、資材の調達から在庫管理、製品の配送までといったいわば事業活動の川上から川下までをコンピュータを使って総合的に管理するサプライチェーンマネージメントは、この代表的な管理手法であり、さまざまな媒体で紹介されている。
【０００４】
現在紹介されているサプライチェーンマネージメントでは、入力情報と出力情報とを定義した活動組織体が、その業務の流れで接続され、これらの評価を行うようになっている。
【０００５】
この様子を、図８を参照しながら説明する。同図はそば屋の業務を通常のＳＣＭ手法によって整理したものであり、仕入れに始まり、この材料を保管するとともに、注文を受けるとその保管された材料を取り出し、調理して盛り付けたのち、顧客に配膳し、その代金を回収し、顧客が食べ終わったら食器を回収して洗浄及び店内の清掃を行うことを表している。
【０００６】
【発明が解決しようとする課題】
しかしながら、同図に示すように従来のＳＣＭ手法で設計した場合、「調理」、「天ぷら盛り付け」及び「配膳」については、顧客がそれぞれの価値を認めるところではあるものの、この中では顧客の満足度が直接的に反映するわけではなく、これをモデル化したとしてもＳＣＭ手法上の明確さに欠けるといった問題があった。
【０００７】
そこで本発明者は、企業活動を例にとれば、企業活動を構成する部署が、「いかなる付加価値」を「どのように付けている」のかがＳＣＭ手法の本質であると捉え、それぞれの部署は単なる入力情報と出力情報のみによって分析できるものではなく、これらを支援する補助入力情報や補助出力情報をともなえば、ＳＣＭ手法の本質が明確化されるとともに、正確なＳＣＭ分析を行うことができることを確信するに至った。
【０００８】
【課題を解決するための手段】
本発明は、サプライチェーンマネージメントの設計をより明確に行える組織体情報分析装置、組織体情報記録装置、プログラム並びに情報記録媒体を提供することを目的とする。
（１）本発明の第１の観点によれば、活動組織体オブジェクトが複数組み合わせられた組織構造体を記録する組織体情報記録装置において、少なくとも入力情報、出力情報、補助入力情報、補助出力情報をプロパティとして備える活動組織体オブジェクトを、個別に記録する活動組織体オブジェクト記録ユニットと、少なくとも入力情報指定部と、出力情報指定部と、補助入力情報指定部と、補助出力情報指定部とを備え、前記活動組織体オブジェクト記録ユニットに記録された特定のオブジェクトのプロパティを設定する活動組織体オブジェクト形態指定ユニットと、を備えることを特徴とする組織体情報記録装置が提供される（請求項１）。
【０００９】
ここで、活動組織体オブジェクト記録ユニットに記録される活動組織体オブジェクトのプロパティは、必要に応じて、入力情報及び補助入力情報のみ、または出力情報及び補助出力情報のみとしても良い（請求項３，４）。
【００１０】
本発明の組織体情報記録装置では、活動組織体オブジェクトのプロパティとして、入力情報及び出力情報以外に、これら入力情報及び出力情報以外の、活動組織体オブジェクトに関連する情報、すなわち補助入力情報及び補助出力情報を採用するので、各オブジェクトの如何なる付加価値をどのように付けるかといったＳＣＭ手法によるモデルがより明確になり、当該ＳＣＭ分析の正確性が向上する。
【００１１】
上記発明における入力情報、出力情報、補助入力情報、補助出力情報に係るプロパティについて、入力情報と補助入力情報または出力情報と補助出力情報を交換可能とすることもできる（請求項２）。
【００１２】
このように入力情報と補助入力情報、または出力情報と補助出力情報を交換可能に構成すれば、ＳＣＭ手法によるモデル化の組み合わせが多様となり、当該ＳＣＭ分析の正確性がより向上する。
（２）本発明の第２の観点によれば、活動組織体オブジェクトが複数組み合わせられて表現される組織体を分析する組織体情報分析装置において、少なくとも入力情報、出力情報、補助入力情報、補助出力情報をプロパティとして備える活動組織体オブジェクトを、個別に記録する活動組織体オブジェクト記録ユニットと、
少なくとも入力情報指定部と、出力情報指定部と、補助入力情報指定部と、補助出力情報指定部とを備え、前記活動組織体オブジェクト記録ユニットに記録された特定のオブジェクトのプロパティを設定する活動組織体オブジェクト形態指定ユニットと、前記活動組織体オブジェクト記録ユニットに記録されたオブジェクトに基づいて入力情報プロパティと出力情報プロパティとの関連にしたがって、複数の活動組織体オブジェクトの組み合わせに係るパフォーマンスを分析する組織活動体オブジェクト分析ユニットと、を備えることを特徴とする組織体情報分析装置が提供される（請求項５）。
【００１３】
ここで、活動組織体オブジェクト記録ユニットに記録される活動組織体オブジェクトのプロパティは、必要に応じて、入力情報及び補助入力情報のみ、または出力情報及び補助出力情報のみとしても良い（請求項６，７）。
【００１４】
本発明の組織体情報分析装置では、活動組織体オブジェクトのプロパティとして、入力情報及び出力情報以外に、これら入力情報及び出力情報以外の、活動組織体オブジェクトに関連する情報、すなわち補助入力情報及び補助出力情報を採用するので、各オブジェクトの如何なる付加価値をどのように付けるかといったＳＣＭ手法によるモデルがより明確になり、当該ＳＣＭ分析の正確性が向上する。
【００１５】
上記発明において、活動組織体オブジェクトは、さらに活動内容を表す活動内容プロパティを備えるとともに、前記組織活動体オブジェクト分析ユニットは、前記活動組織体オブジェクトのプロパティに基づいて得られる複数の組織活動体オブジェクトの関係について、その連接妥当性検査を行うように構成することもできる（請求項８）。
【００１６】
活動内容プロパティをさらに備えるとともに、この活動内容プロパティを用いて組織活動体オブジェクトを連接する際の妥当性を検査することで、連接可能なオブジェクトと連接すべきでないオブジェクトが連接操作時に検査することができ、ＳＣＭ手法によるモデルがより明確になり、当該ＳＣＭ分析の正確性が向上する。
（３）本発明の第３の観点によれば、コンピュータをして上記第１および第２の観点による組織体情報記録装置若しくは組織体情報分析装置として機能させるプログラム又は情報記録媒体が提供される（請求項９〜１１）。
【００１７】
【発明の実施の形態】
以下、本発明の実施形態を図面に基づいて説明する。
図１は本発明の実施形態に係る組織体情報分析装置１を示すブロック図、図２は本発明の実施形態に係る組織体情報記録装置１１を示すブロック図、図３は本発明の実施形態に係る活動組織体オブジェクト記録ユニット１１１のフォーマットを示す図、図４は本発明の実施形態に係るオブジェクト分析ユニット１２のオブジェクト連接部１２１における処理内容を示す図、図５は本発明の実施形態に係る組織体情報分析装置１によるシミュレーション結果を示す図、図６は本発明に係る活動組織体オブジェクトの付加価値の一例を示す図、図７は本発明に係る活動組織体オブジェクトの連続性マップを示す図である。
【００１８】
図１に示すように、本実施形態に係る組織体情報分析装置１は、組織体情報記録装置１１と、オブジェクト分析ユニット１２と、ユーザインターフェース部１３とから構成されている。
【００１９】
組織体情報記録装置１１は、活動組織体オブジェクト記録ユニット１１１と、活動組織体オブジェクト形態指定ユニット１１２とから構成されている。
【００２０】
このうち活動組織体オブジェクト記録ユニット１１１は、活動組織体オブジェクトを少なくとも一つ記録するようになっている。そして、活動組織体オブジェクト記録ユニット１１１は、図２に示すようにオブジェクト名称記憶部１１１ａ、属性記憶部１１１ｂ、入力情報記憶部１１１ｃ、出力情報記憶部１１１ｄ、補助入力情報記憶部１１１ｅ、補助出力情報記憶部１１１ｆとから構成されている。
【００２１】
また、活動組織体オブジェクト形態指定ユニット１１２は、同図に示すようにオブジェクト名称指定部１１２ａ、属性指定部１１２ｂ、入力情報指定部１１２ｃ、出力情報指定部１１２ｄ、補助入力情報指定部１１２ｅ、補助出力情報指定部１１２ｆとから構成されている。
【００２２】
ここで、オブジェクト名称指定部１１２ａで指定されるオブジェクト名称とは、企業を例にとればその企業活動を構成する個々の活動内容をいう。図５に示すそば屋の例でいえば、券売機、代金回収、仕入れ計画、仕入れ、材料管理、麺うち、天ぷら揚げ、出汁取り、注文、…、洗浄、清掃および設備保全といった個々の活動内容がオブジェクト名称に該当する。また、図８に示すそば屋の例でいえば、仕入れ、材料保管、注文、材料取出、調理、…、食器回収および洗浄／清掃といった個々の活動内容がオブジェクト名称に該当する。
【００２３】
また、属性指定部１１２ｂにて指定される属性（活動内容プロパティ）とは、そのオブジェクトが、主として情報（Ｉ）が支配するものか、主として物（Ｐ）が支配するものか、あるいは主としてサービス（Ｓ）が支配するものかに分類したものである。企業の活動内容たるオブジェクトは、主として情報（Ｉ）が支配するものか、主として物（Ｐ）が支配するものか、あるいは主としてサービス（Ｓ）が支配するものかといった３種類に分類することができる。本例ではこれをオブジェクトの属性とし、後述するオブジェクト連接部１２１およびオブジェクト妥当性検査部１２２において当該属性に基づいて各オブジェクトの連接妥当性を検査する。
【００２４】
この属性については、図５に示すそば屋の例でいえば、券売機、代金回収、仕入れ計画、注文の属性が情報（Ｉ）であり、配膳、お客および什器回収の属性がサービス（Ｓ）であり、その他のオブジェクトの属性が物（Ｐ）である。また、図８に示すそば屋の例でいえば、注文と代金回収の属性が情報（Ｉ）であり、配膳の属性がサービス（Ｓ）であり、その他のオブジェクトの属性が物（Ｐ）である。
【００２５】
入力情報指定部１１２ｃにて指定される入力情報とは、あるオブジェクトＢに連続する直前のオブジェクトＡ（換言すればそのオブジェクトＡが直接的な契機となってオブジェクトＢが開始される）をいい、たとえば図５に示すそば屋の例の「麺ゆで」オブジェクトでは注文を受けることで麺ゆで作業を行うことから、入力情報は「注文」オブジェクトとなる。同様に、「具盛り付け」オブジェクトでは麺ゆでを行ってから具盛り付け作業を行うことから、入力情報は「麺ゆで」オブジェクトとなる。
【００２６】
これに対して、出力情報指定部１１２ｄにて指定される出力情報とは、あるオブジェクトＢに連続する直後のオブジェクトＣ（換言すれば、あるオブジェクトＢが直接的な契機となってオブジェクトＣが開始される）いい、たとえば図５に示すそば屋の例の「麺ゆで」オブジェクトでは麺ゆで作業を行ったら具盛り付け作業を行うことから、出力情報は「具盛り付け」オブジェクトとなる。同様に、「具盛り付け」オブジェクトでは具盛り付け作業を行ったら出汁かけ作業を行うことから、出力情報は「出汁かけ」オブジェクトとなる。
【００２７】
本例の活動組織体オブジェクト形態指定ユニット１１２は、特に補助入力情報指定部１１２ｅと補助出力情報指定部１１２ｆとをさらに備えている。
【００２８】
補助入力情報指定部１１２ｅにて指定される補助入力情報とは、あるオブジェクトＢに連続する前工程（工程が循環する場合も含む。）のオブジェクトのうち、直前のオブジェクトＡ以外のオブジェクトＤ（換言すれば、そのオブジェクトＤが間接的な契機となってあるオブジェクトＢが開始される）をいい、たとえば図５に示すそば屋の例の「麺ゆで」オブジェクトでは、注文を受けることで麺ゆで作業を行うが、麺ゆで作業の前に麺うち作業も必要なことから、補助入力情報は「麺うち」オブジェクトとなる。また、お客が食事を終えたら、什器を回収し、その什器を洗浄したのち、次の麺ゆでに備えることから、麺ゆで作業の前に洗浄作業も必要となる。したがって、「洗浄」オブジェクトも麺ゆでオブジェクトの補助入力情報となる。同様に、「具盛り付け」オブジェクトでは麺ゆでを行ってから具盛り付け作業を行うが、具盛り付け作業の前にそばの具である天ぷらを揚げておくことも必要であるため、具盛り付けオブジェクトの補助入力情報は「天ぷら揚げ」オブジェクトとなる。また、出汁かけオブジェクトの入力情報は具盛り付けオブジェクトであり、補助入力情報は出汁取りオブジェクトとなる。
【００２９】
これに対して、補助出力情報指定部１１２ｆにて指定される補助出力情報とは、あるオブジェクトＢに連続する後工程（工程が循環する場合も含む。）のオブジェクトのうち、直後のオブジェクトＣ以外のオブジェクトＥ（換言すれば、あるオブジェクトＢが間接的な契機となってそのオブジェクトＥが開始される）をいい、たとえば図５に示すそば屋の例の「券売機」オブジェクトでは、お客が券売機によって食券を購入したら直接的には注文オブジェクトに連続するが、同時に代金回収が行われ、また仕入れ計画も開始されることから、券売機オブジェクトの補助出力情報は、「代金回収」オブジェクトおよび「仕入れ計画」オブジェクトとなる。
【００３０】
これら補助入力情報および補助出力情報を採用することで、これらが入力情報および出力情報の付加価値となって現れ、どのような付加価値を、どのように付けているのかが明確になるのでＳＣＭ手法による分析がより正確になる。
【００３１】
たとえば、図８に示す従来のＳＣＭ手法によるそば屋の例は、入力情報と出力情報のみによってオブジェクトを連接したものであるのに対し、図５に示す本例のＳＣＭ手法によるそば屋の例は、入力情報と出力情報に加えて、補助入力情報と補助出力情報によってオブジェクトを連接したものである。
【００３２】
図８に示す従来法では、注文を受けた後の材料取出、調理および天ぷら盛り付けの各オブジェクトが一つの流れとしてのみ連接されているので、調理オブジェクトの内容が詳細に分析できない。したがって、そばに必要とされる麺、天ぷらおよび出汁を、どのようなタイミングでどのように調理するかが不明であり、冷たい天ぷらや出汁、伸びた麺のそばをお客に出してしまうおそれもある。
【００３３】
これに対して、図５に示す本例の方法では、調理オブジェクトをさらに細分化し、それぞれについて補助入力情報たる「麺うち」、「天ぷら揚げ」および「出汁取り」のオブジェクトを付加して連接しているので、麺ゆで、具盛り付けおよび出汁かけの各オブジェクトと、これら麺うち、天ぷら揚げおよび出汁取りの各オブジェクトとのタイミングをも分析することができる。したがって、打ちたての麺に揚げたての天ぷらを盛り付け、取りたての出汁をかけることで、温かいそばをお客に提供することができる。
【００３４】
このように、補助入力情報や補助出力情報を付加することで、各オブジェクトの付加価値（上記例でいえば、アツアツのそばをお客に出す）を明確にすることができ、これによりＳＣＭ手法による分析をより正確に行うことができる。
【００３５】
なお、オブジェクトによっては補助入力情報および補助出力情報を指定しない場合もあり、また何れか一方のみを指定する場合もある。
【００３６】
図１に戻り、活動組織体オブジェクト形態指定ユニット１１２のオブジェクト名称指定部１１２ａ、属性指定部１１２ｂ、入力情報指定部１１２ｃ、出力情報指定部１１２ｄ、補助入力情報指定部１１２ｅおよび補助出力情報指定部１１２ｆのそれぞれで指定されたオブジェクト名称、属性、入力情報、出力情報、補助入力情報および補助出力情報は、活動組織体オブジェクト記録ユニット１１１のオブジェクト名称記憶部１１１ａ、属性記憶部１１１ｂ、入力情報記憶部１１１ｃ、出力情報記憶部１１１ｄ、補助入力情報記憶部１１１ｅおよび補助出力情報記憶部１１１ｆのそれぞれに記録される。この様子を図２に示す。
【００３７】
一方、同図に示すオブジェクト分析ユニット１２のオブジェクト連接部１２１では、活動組織体オブジェクト記録ユニット１１１に記録された各オブジェクトを読み出し、各オブジェクトの入力情報記憶部１１１ｃ、補助入力情報記憶部ｅ、出力情報記憶部１１１ｄおよび補助出力情報記憶部ｆを手掛かりにして、図４に示すように連接する。
【００３８】
たとえば、あるオブジェクトＡの後工程に連接できるオブジェクトＢの候補は、オブジェクトＡの出力情報記憶部１１１ｄ又は補助出力情報記憶部ｆに記憶されたオブジェクトであるが、この候補オブジェクトＢのうち、オブジェクトの入力情報記憶部１１１ｃ又は補助入力情報記憶部１１１ｅにオブジェクトＡが記憶されているオブジェクトＢが連接可能なオブジェクトとなる。同図に示す例でいえば、麺ゆでオブジェクトの出力情報記憶部１１１ｄには具盛り付けオブジェクトが記憶されており、一方具盛り付けオブジェクトの入力情報記憶部１１１ｃには麺ゆでオブジェクトが記憶されているので、麺ゆでオブジェクトに具盛り付けオブジェクトを連接することができる。
【００３９】
さらに本例では、こうした連接操作に際し、オブジェクト妥当性検査部１２２にて連接されるオブジェクトが妥当かどうかを検査する。
【００４０】
オブジェクト妥当性検査部１２２では、以下のルールに従って妥当性が検査される。上述したように各オブジェクトの属性は、情報（Ｉ）、物（Ｐ）およびサービス（Ｓ）に分類されるが、これら３つの属性の何れかを有するオブジェクトを連接する際、連続性のある組み合わせと、連続性のない組み合わせがある。
【００４１】
たとえば、図７の上図に示すように、属性が情報（Ｉ）であるオブジェクトに属性が情報（Ｉ）であるオブジェクトを連接する場合は、図５に示す券売機オブジェクトに代金回収オブジェクトまたは仕入れ計画オブジェクトを連接した場合のように、前工程の情報（Ｉ）を加工したり処理したりして後工程のオブジェクトへ伝達できるので、オブジェクト相互間に連続性がある。
【００４２】
また、属性が物（Ｐ）であるオブジェクトに属性が物（Ｐ）であるオブジェクトを連接する場合も、図５の麺ゆでオブジェクトに具盛り付けオブジェクトを連接した場合のように、前工程の物（Ｐ）を後工程のオブジェクトに伝達できるので、オブジェクト相互間に連続性がある。
【００４３】
さらに、属性が情報（Ｉ）であるオブジェクトに属性が物（Ｐ）であるオブジェクトを連接する場合も、図５の注文オブジェクトに麺ゆでオブジェクトを連接した場合のように、前工程の情報（Ｉ）に基づいて後工程のオブジェクトに係る物（Ｐ）を加工・処理できるので、オブジェクト相互間に連続性がある。
【００４４】
また、属性が物（Ｐ）および情報（Ｉ）の混成であるオブジェクトに属性がサービス（Ｓ）であるオブジェクトを連接する場合も、図５の注文オブジェクト（属性Ｉ）および出汁かけオブジェクト（属性Ｐ）に配膳オブジェクト（属性Ｓ）を連接した場合のように、前工程の物（Ｐ）および情報（Ｉ）に基づいて後工程のサービスオブジェクトを展開できるので、オブジェクト相互間に連続性がある。
【００４５】
これに対して、図７の下図に示すように、属性が物（Ｐ）であるオブジェクトに属性が情報（Ｉ）であるオブジェクトを連接すると、物（Ｐ）からは情報（Ｉ）を得ることはできないので、オブジェクト相互間に連続性がない。属性がサービス（Ｓ）であるオブジェクトに、属性が情報（Ｉ）および物（Ｐ）の混成であるオブジェクトを連接した場合も、サービスからは物も情報も得られないので、オブジェクト相互間に連続性はない。
【００４６】
以上のようなオブジェクト相互間の連続性・不連続性を予め検証しておき、このオブジェクト連続性マップをオブジェクト妥当性検査部１２２に格納しておく。そして、オブジェクト連接部１２１にて連接されるオブジェクトの組み合わせが連続性のある組み合わせか、連続性のない組み合わせかをオブジェクト連続性マップを参照しながら逐一検査し、連続性のない組み合わせのオブジェクトを連接できないようにするか、あるいは連接した場合はその旨の警告を生成する。
【００４７】
このオブジェクト妥当性検査部１２２を設けることで、連接が妥当でないオブジェクトをパフォーマンス分析に先立って除外することができるので、パフォーマンス分析の候補モデルを適切なモデルに厳選することができる。
【００４８】
再び図１に戻り、パフォーマンス分析部１２３は、オブジェクト連接部１２１にて連接され、オブジェクト妥当性検査部１２２にてその連接が妥当であると検証されたオブジェクトモデルのパフォーマンスを分析する。このパフォーマンス分析は、所望の評価項目、たとえば人件費、材料費、管理費又は運搬費といったコストや、作業者の流れ又は物流といった円滑性その他、目的とする項目を評価するために実行する。このパフォーマンス分析部１２３で分析された結果はユーザインターフェース部１３を介してユーザに送信される。
【００４９】
なお、ユーザインターフェース部１３は、本例の組織体情報分析装置１に通信回路などを介して接続されたユーザ端末装置との間でデータの送受信を行うものである。
【００５０】
次に、この組織体情報分析装置１を用いてそば屋の活動を分析する例を説明する。
【００５１】
まず、分析目的であるそば屋の活動オブジェクトを、図１に示す活動組織体オブジェクト形態指定ユニット１１２の各指定部１１２ａ〜１１２ｆに指定する。このとき、図６に示すように、オブジェクトの活動内容属性Ｐ，Ｉ，Ｓにしたがって、付加価値となる項目を選定し、入力情報、出力情報、補助入力情報および補助出力情報として用いる。
【００５２】
活動組織体オブジェクト形態指定ユニット１１２の各指定部１１２ａ〜１１２ｆに指定された各プロパティは、図２に示すように活動組織体オブジェクト記録ユニット１１１の各記憶部１１１ａ〜１１１ｆに記憶される。
【００５３】
次いで、図４に示すように活動組織体オブジェクト記録ユニット１１１に記憶された各オブジェクトを読み出し、各オブジェクトの入力情報記憶部１１１ｃ、補助入力情報記憶部ｅ、出力情報記憶部１１１ｄおよび補助出力情報記憶部ｆを手掛かりにして連接する。これと同時に、オブジェクト妥当性検査部１２２にて、連接された２つのオブジェクトの属性記憶部１１１ｂと図７に示すオブジェクトの連続性マップとに基づいて連接の妥当性を検査し、妥当性に欠ける場合はその旨を警告する（警告表示や警告音など）か、或いは連接不可能（エラー表示など）にする。
【００５４】
こうして連接されたそば屋のオブジェクトモデルの一例を図５に示すが、本例では入力情報および出力情報に加えて、補助入力情報および補助出力情報をオブジェクトのプロパティとして採用しているので、図８に示す従来法によるモデルに比べ、オブジェクトの分析が正確になる。たとえば、図８に示す仕入れ→材料保管→注文といった連接では、特に材料保管（Ｐ）→注文（Ｉ）の間でオブジェクトの連続性がなかったが、図５に示す例では注文と仕入れとを並行するオブジェクトで連接し、仕入れに基づく材料管理を介して補助入力情報として注文オブジェクトに続くオブジェクトに連接しているので、オブジェクトの連続性が確保されている。
【００５５】
また上述したように、調理のオブジェクトを細分化するとともに補助入力情報および補助出力情報を活用することで、麺ゆで、具盛り付けおよび出汁かけのタイミングを図ることができ、お客に対してアツアツのそばを提供できるモデルを実現することができる。
【００５６】
次いで、オブジェクト連接部１２１にて連接され、オブジェクト妥当性検査部１２２にてその連接が妥当であると検証されたオブジェクトモデルをパフォーマンス分析部１２３に送出し、ここでそのモデルのパフォーマンスを分析する。このパフォーマンス分析は、所望の評価項目、たとえば人件費、材料費、管理費又は運搬費といったコストや、作業者の流れ又は物流といった円滑性その他、目的とする項目で評価する。
【００５７】
最後にパフォーマンス分析部１２３で分析された結果を、ユーザインターフェース部１３を介してユーザに送信する。
【００５８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５９】
たとえば、上述した実施形態では、活動組織体オブジェクト記録ユニット１１１および活動組織体オブジェクトユニット形態指定ユニット１１２を構成するプロパティとして、オブジェクト名称、属性、入力情報、出力情報、補助入力情報および補助出力情報を採用したが、ユーザ端末装置の構成によっては、入力情報および補助入力情報か、出力情報および補助出力情報の一方を省略することもできる。この場合、省略した情報についてはユーザ端末装置からオブジェクト連接部１２１やオブジェクト妥当性検査部１２２へダイレクトに送出すればよい。
【００６０】
【発明の効果】
以上述べたように本発明によれば、サプライチェーンマネージメントの設計をより明確に行える組織体情報分析装置、組織体情報記録装置、プログラム並びに情報記録媒体を提供することができる。
【図面の簡単な説明】
【図１】本発明の実施形態に係る組織体情報分析装置を示すブロック図である。
【図２】本発明の実施形態に係る組織体情報記録装置を示すブロック図である。
【図３】本発明の実施形態に係る活動組織体オブジェクト記録ユニットのフォーマットを示す図である。
【図４】本発明の実施形態に係るオブジェクト分析ユニットのオブジェクト連接部における処理内容を示す図である。
【図５】本発明の実施形態に係る組織体情報分析装置によるシミュレーション結果を示す図である。
【図６】本発明に係る活動組織体オブジェクトの付加価値の一例を示す図である。
【図７】本発明に係る活動組織体オブジェクトの連続性マップを示す図である。
【図８】そば屋の業務を従来のＳＣＭ手法により分析した結果を示す図である。
【符号の説明】
１…組織体情報分析装置
１１…組織体情報記録装置
１１１…活動組織体オブジェクト記録ユニット
１１２…活動組織体オブジェクト形態指定ユニット
１２…オブジェクト分析ユニット
１２１…オブジェクト連接部
１２２…オブジェクト妥当性検査部
１３…ユーザインターフェース
【図１】
2004151920.tif 000003
【図２】
2004151920.tif 000004
【図３】
2004151920.tif 000005
【図４】
2004151920.tif 000006
【図５】
2004151920.tif 000007
【図６】
2004151920.tif 000008
【図７】
2004151920.tif 000009
【図８】
2004151920.tif 000010